【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第１識別情報の可変表示を行う第１可変表示手段と、第２識別情報の可変表示を行う第２可変表示手段と、遊技領域に設けられて遊技者にとって有利な第１状態と遊技者にとって不利な第２状態とに変化可能な特別可変入賞手段とを備え、前記特別可変入賞手段を前記第２状態から前記第１状態に変化させる有利状態に制御可能であるとともに、所定条件が成立したときに通常状態よりも前記有利状態に制御されやすい特別状態に制御可能な遊技機であって、
前記有利状態に制御するか否かを決定する決定手段と、
前記有利状態であるときに特定領域を遊技媒体が通過したことに基づいて、前記所定条件を成立させることが可能な条件成立制御手段と、
前記特別状態であるときに、第２識別情報の可変表示の実行頻度が高くなる高頻度制御を行うことが可能な高頻度制御手段とを備え、
前記特別可変入賞手段には、第１特別可変入賞手段と、該第１特別可変入賞手段とは異なる第２特別可変入賞手段とがあり、
前記第１特別可変入賞手段と前記第２特別可変入賞手段とのうちいずれが前記第１状態に変化したかに応じて、前記所定条件を成立させる割合が異なり、
第１識別情報の可変表示に基づいて前記有利状態に制御されたときと、第２識別情報の可変表示に基づいて前記有利状態に制御されたときとで、前記所定条件を成立させる割合が異なる、
ことを特徴とする遊技機。
【手続補正２】
【補正対象書類名】明細書
【補正対象項目名】０００５
【補正方法】変更
【補正の内容】
【０００５】
特許文献１に記載の技術では、１の特別可変入賞手段に受け入れられた遊技媒体が振り分けられた結果により特別遊技状態となるための所定条件が成立するか否かが決められる。特別遊技状態となるか否かに遊技者が寄与する実感に乏しく、遊技に対する興味を高めることが困難であった。
【手続補正３】
【補正対象書類名】明細書
【補正対象項目名】０００６
【補正方法】変更
【補正の内容】
【０００６】
この発明は、上記実状に鑑みてなされたものであり、遊技に対する遊技者の興味を高めて、遊技興趣を向上させる遊技機の提供を目的とする。
【手続補正４】
【補正対象書類名】明細書
【補正対象項目名】０００７
【補正方法】変更
【補正の内容】
【０００７】
（１）上記目的を達成するため、本願発明に係る遊技機は、第１識別情報（例えば特別図柄や飾り図柄など）の可変表示を行う第１可変表示手段（例えば第１特別図柄表示装置４Ａや画像表示装置５など）と、第２識別情報の可変表示を行う第２可変表示手段（例えば第２特別図柄表示装置４Ｂや画像表示装置５など）と、遊技領域に設けられて遊技者にとって有利な第１状態（例えば開放状態など）と遊技者にとって不利な第２状態（例えば閉鎖状態など）とに変化可能な特別可変入賞手段（例えば特別可変入賞球装置７Ａ、７Ｂなど）とを備え、前記特別可変入賞手段を前記第２状態から前記第１状態に変化させる有利状態（例えば大当り遊技状態など）に制御可能であるとともに、所定条件が成立したときに通常状態よりも前記有利状態に制御されやすい特別状態（例えば確変状態など）に制御可能な遊技機（例えばパチンコ遊技機１など）であって、前記有利状態に制御するか否かを決定する決定手段（例えばステップＳ２３９の処理を実行する遊技制御用マイクロコンピュータ１００のＣＰＵ１０３など）と、前記有利状態であるときに特定領域（例えば特定領域スイッチ２４の設置箇所など）を遊技媒体が通過したことに基づいて、前記所定条件を成立させることが可能な条件成立制御手段（例えばステップＳ３１５〜Ｓ３１７の処理を実行するＣＰＵ１０３など）と、前記特別状態であるときに、第２識別情報の可変表示の実行頻度が高くなる高頻度制御を行うことが可能な高頻度制御手段とを備え、前記特別可変入賞手段には、第１特別可変入賞手段（例えば特別可変入賞球装置７Ｂなど）と、該第１特別可変入賞手段とは異なる第２特別可変入賞手段（例えば特別可変入賞球装置７Ａなど）とがあり、前記第１特別可変入賞手段と前記第２特別可変入賞手段とのうちいずれが前記第１状態に変化したかに応じて、前記所定条件を成立させる割合が異なり（例えば下大入賞口に入賞した遊技球は特定領域スイッチ２４により検出される一方で、上大入賞口に入賞した遊技球は特定領域スイッチ２４により検出されないことなど）、第１識別情報の可変表示に基づいて前記有利状態に制御されたときと、第２識別情報の可変表示に基づいて前記有利状態に制御されたときとで、前記所定条件を成立させる割合が異なる。
このような構成によれば、第１特別可変入賞手段と第２特別可変入賞手段とのうちいずれが第１状態に変化したかに応じて、特別状態となるための所定条件を成立させる割合が異なるので、遊技に対する遊技者の興味を高めて、遊技興趣を向上させることができる。
なお、特定領域は、第１状態に変化した特別可変入賞手段（第１特別可変入賞手段と第２特別可変入賞手段のうちの一方または両方）の内部に設けられていればよい。また、第１特別可変入賞手段と第２特別可変入賞手段とのうちいずれに遊技媒体が入賞したかに応じて、条件成立制御手段が所定条件を成立させる割合を異ならせてもよい。
【手続補正５】
【補正対象書類名】明細書
【補正対象項目名】０００８
【補正方法】変更
【補正の内容】
【０００８】
（２）上記（１）の遊技機において、前記遊技領域には、第１遊技領域（例えば左遊技領域２Ａなど）と、該第１遊技領域とは異なる第２遊技領域（例えば右遊技領域２Ｂなど）とがあり、前記第１遊技領域には、始動領域のうち常時遊技媒体が通過可能な第１始動領域（例えば普通入賞球装置６Ａが形成する第１始動入賞口など）が設けられ、前記第２遊技領域には、前記始動領域のうち前記第１始動領域とは異なる第２始動領域（例えば普通可変入賞球装置６Ｂが形成する第２始動入賞口など）と、前記第２始動領域を遊技媒体が通過可能な第１可変状態（例えば開放状態または拡大開放状態など）と通過困難または通過不可能な第２可変状態（例えば閉鎖状態または通常開放状態など）とのいずれかの状態に変化可能な可変始動入賞手段（例えば普通可変入賞球装置６Ｂなど）と、前記第１始動領域および前記第２始動領域とは異なる通過領域（例えば通過ゲート４１など）と、前記第１特別可変入賞手段および前記第２特別可変入賞手段とが設けられ、前記通過領域を遊技媒体が通過したことに基づいて、普通識別情報（例えば普通図柄など）の可変表示を行い表示結果を導出する普通可変表示手段（例えば普通図柄表示器２０など）と、普通識別情報の表示結果として予め定められた所定表示結果（例えば普図当りなど）が導出されたときに前記可変始動入賞手段を前記第２可変状態から前記第１可変状態に変化させる可変始動入賞制御手段（例えばステップＳ１６の普通図柄プロセス処理を実行するＣＰＵ１０３など）とを備え、前記可変始動入賞制御手段は、前記特別状態であるときに、前記通常状態よりも前記第２始動領域を遊技媒体が通過しやすい有利変化態様で、前記可変始動入賞手段を前記第１可変状態と前記第２可変状態とに変化させる制御が可能であり（例えば図１７（Ｂ）に示す普図表示結果等を決定するＣＰＵ１０３など）、前記第１可変表示手段は、前記第１始動領域を遊技媒体が通過したことに基づいて第１識別情報の可変表示（例えば第１特図を用いた特図ゲームなど）を行い、前記第２可変表示手段は、前記第２始動領域を遊技媒体が通過したことに基づいて第２識別情報（例えば第２特図を用いた特図ゲームなど）の可変表示を行い、前記第２特別可変入賞手段に入賞した遊技媒体は、前記第１特別可変入賞手段に入賞した遊技媒体よりも前記特定領域へと誘導されやすく（例えば図１８または図２０に示す入賞球の誘導など）、前記第２可変表示手段による第２識別情報の可変表示に基づいて前記有利状態に制御されたときには、前記第１可変表示手段による第１識別情報の可変表示に基づいて前記有利状態に制御されたときよりも遊技媒体が入賞しやすい特定変化態様で前記第２特別可変入賞手段を前記第１状態に変化させ（例えば図１０（Ｂ）、図１３（Ａ）および（Ｂ）に示すような決定に基づいてステップＳ１１５の大当り開放中処理が実行される部分など）、前記第１遊技領域へと誘導された遊技媒体は前記第２遊技領域へと誘導されにくい（例えば釘の配列ＰＬに沿って遊技球が誘導される）ようにしてもよい。
このような構成においては、第１可変表示手段による第１識別情報の可変表示に基づく有利状態において、所定条件の成立により特別状態となる割合を抑制しつつ、特別可変入賞手段に遊技媒体が入賞しにくい有利状態の頻発を防止する一方、第２可変表示手段による第２識別情報の可変表示に基づく有利状態において、所定条件の成立により特別状態となる割合を高めて、遊技興趣を向上させることができる。
【手続補正６】
【補正対象書類名】明細書
【補正対象項目名】０００９
【補正方法】変更
【補正の内容】
【０００９】
（３）上記（１）の遊技機において、前記遊技領域には、始動領域のうち常時遊技媒体が通過可能な第１始動領域（例えば普通入賞球装置６Ａが形成する第１始動入賞口など）と、前記始動領域のうち前記第１始動領域とは異なる第２始動領域（例えば普通可変入賞球装置６Ｂが形成する第２始動入賞口など）と、前記第２始動領域を遊技媒体が通過可能な第１可変状態（例えば開放状態または拡大開放状態など）と通過困難または通過不可能な第２可変状態（例えば閉鎖状態または通常開放状態など）とのいずれかの状態に変化可能な可変始動入賞手段（例えば普通可変入賞球装置６Ｂなど）と、前記第１始動領域および前記第２始動領域とは異なる通過領域（例えば通過ゲート４１など）とが設けられ、前記通過領域を遊技媒体が通過したことに基づいて、普通識別情報（例えば普通図柄など）の可変表示を行い表示結果を導出する普通可変表示手段（例えば普通図柄表示器２０など）と、普通識別情報の表示結果として予め定められた所定表示結果（例えば普図当りなど）が導出されたときに前記可変始動入賞手段を前記第２可変状態から前記第１可変状態に変化させる可変始動入賞制御手段（例えばステップＳ１６の普通図柄プロセス処理を実行するＣＰＵ１０３など）とを備え、前記可変始動入賞制御手段は、前記特別状態であるときに、前記通常状態よりも前記第２始動領域を遊技媒体が通過しやすい有利変化態様で、前記可変始動入賞手段を前記第１可変状態と前記第２可変状態とに変化させる制御が可能であり（例えば図１７（Ｂ）に示す普図表示結果等を決定するＣＰＵ１０３など）、前記第１可変表示手段は、前記第１始動領域を遊技媒体が通過したことに基づいて第１識別情報の可変表示（例えば第１特図を用いた特図ゲームなど）を行い、前記第２可変表示手段は、前記第２始動領域を遊技媒体が通過したことに基づいて第２識別情報の可変表示（例えば第２特図を用いた特図ゲームなど）を行い、前記第２可変表示手段による第２識別情報の可変表示は、前記第１可変表示手段による第１識別情報の可変表示よりも優先して実行され（例えばステップＳ２３１、Ｓ２３５の処理を実行した後にステップＳ１１１〜Ｓ１１３の処理を実行する部分など）、前記第２特別可変入賞手段に入賞した遊技媒体は、前記第１特別可変入賞手段に入賞した遊技媒体よりも前記特定領域へと誘導されやすく（例えば図１８または図２０に示す入賞球の誘導など）、前記第２可変表示手段による第２識別情報の可変表示に基づいて前記有利状態に制御されたときには、前記第１可変表示手段による第１識別情報の可変表示に基づいて前記有利状態に制御されたときよりも遊技媒体が入賞しやすい特定変化態様で前記第２特別可変入賞手段を前記第１状態に変化させ（例えば図１０（Ｂ）、図１３（Ａ）および（Ｂ）に示すような決定に基づいてステップＳ１１５の大当り開放中処理が実行される部分など）、前記遊技領域へと発射された遊技媒体は前記第１始動領域と前記第２始動領域のいずれにも誘導され得る（例えば図２１に示す遊技領域２など）ようにしてもよい。
このような構成においては、第１可変表示手段による第１識別情報の可変表示に基づく有利状態において、所定条件の成立により特別状態となる割合を抑制しつつ、特別可変入賞手段に遊技媒体が入賞しにくい有利状態の頻発を防止する一方、第２可変表示手段による第２識別情報の可変表示に基づく有利状態において、所定条件の成立により特別状態となる割合を高めて、遊技興趣を向上させることができる。
【手続補正７】
【補正対象書類名】明細書
【補正対象項目名】００１０
【補正方法】変更
【補正の内容】
【００１０】
（４）上記（１）〜（３）のいずれかの遊技機において、前記有利状態において前記特別可変入賞手段を前記第１状態とするラウンド遊技の実行回数が特定回数（例えば「１４」など）となったときに、前記第２特別可変入賞手段を前記第１状態に変化させる一方、前記ラウンド遊技の実行回数が前記特定回数以外（例えば「１」〜「１３」など）であるときには、前記第１特別可変入賞手段を前記第１状態に変化させるラウンド遊技制御手段（例えばステップＳ１１４の大当り開放前処理やステップＳ１１５の大当り開放中処理を実行するＣＰＵ１０３など）を備え、前記第２特別可変入賞手段に入賞した遊技媒体は、前記第１特別可変入賞手段に入賞した遊技媒体よりも前記特定領域へと誘導されやすく（例えば図１８または図２０に示す入賞球の誘導など）、前記有利状態には、前記特定回数のラウンド遊技において、前記第２特別可変入賞手段を遊技媒体が入賞しやすい第１変化態様（例えば大入賞口開放上限時間が２９．５秒など）で前記第１状態に変化させる第１有利状態（例えば図１３（Ｂ）に示す大当り種別が「第２大当り」の大当り遊技状態など）と、前記第２特別可変入賞手段を遊技媒体が入賞しにくい第２変化態様（例えば大入賞口開放上限時間が０．０５秒など）で前記第１状態に変化させる第２有利状態（例えば図１３（Ｂ）に示す大当り種別が「第１大当り」の大当り遊技状態など）とがあるようにしてもよい。
このような構成においては、特定回数のラウンド遊技に対する遊技者の興味を高めて、遊技興趣を向上させることができる。
【手続補正８】
【補正対象書類名】明細書
【補正対象項目名】００１１
【補正方法】変更
【補正の内容】
【００１１】
（５）上記（１）〜（４）のいずれかの遊技機において、前記有利状態において前記特別可変入賞手段を前記第１状態とするラウンド遊技の実行回数が特定回数（例えば「１４」など）となったときに、前記第２特別可変入賞手段を前記第１状態に変化させる一方、前記ラウンド遊技の実行回数が前記特定回数以外（例えば「１」〜「１３」など）であるときには、前記第１特別可変入賞手段を前記第１状態に変化させるラウンド遊技制御手段（例えばステップＳ１１４の大当り開放前処理やステップＳ１１５の大当り開放中処理を実行するＣＰＵ１０３など）を備え、前記第２特別可変入賞手段に入賞した遊技媒体は、前記第１特別可変入賞手段に入賞した遊技媒体よりも前記特定領域へと誘導されやすく（例えば図１８または図２０に示す入賞球の誘導など）、前記有利状態には、前記ラウンド遊技の上限回数が前記特定回数以上となる第１有利状態（例えば図２２に示す大当り種別が「第２大当り」の大当り遊技状態など）と、前記ラウンド遊技の上限回数が前記特定回数未満となる第２有利状態（例えば図２２に示す大当り種別が「第１大当り」の大当り遊技状態など）とがあるようにしてもよい。
このような構成においては、ラウンド遊技の実行回数が特定回数以上となるか否かに対する遊技者の興味を高めて、遊技興趣を向上させることができる。
【手続補正９】
【補正対象書類名】明細書
【補正対象項目名】００１２
【補正方法】変更
【補正の内容】
【００１２】
（６）上記（１）〜（５）のいずれかの遊技機において、前記第１特別可変入賞手段および前記第２特別可変入賞手段を前記第１状態と前記第２状態とに変化させる制御を行う特別可変入賞制御手段を備え、前記第２特別可変入賞手段には、前記特別可変入賞制御手段により前記第２状態に制御されているときに、前記第１状態への変化を規制する特別入賞変化規制部が設けられ、前記第１特別可変入賞手段には、前記特別入賞変化規制部が設けられていないようにしてもよい。
このような構成においては、特別状態となる所定条件が成立しやすい第２特別可変入賞手段に特別入賞変化規制部を設けて、第２特別可変入賞手段を不正部材等により強制的に第１状態として不正に所定条件を成立させるといった不正行為を防止しつつ、特別状態となる機会を保障することができる。